(57)【要約】【課題】高い表示コントラストを発揮することのできる表示装置、電子機器および表示装置の駆動方法を提供すること。【解決手段】表示装置１は、正帯電粒子Ａおよび負帯電粒子Ｂを含む粒子群を移動可能に収容する複数のマイクロカプセル３１が配列する表示層３と、表示層３の一方側に設けられ、各マイクロカプセル３１を包含するように配置された共通電極８２と、表示層３の他方側に表示層３に対して移動可能に設けられ、共通電極８２との間で表示層３の一部の領域に電圧を印加することができる部分電極８３と、共通電極８２および部分電極８３間に電圧を印加する電圧印加手段８５とを有している。【選択図】図３
2010097054.tif 000002
【特許請求の範囲】
【請求項１】
正に帯電する正帯電粒子および負に帯電する負帯電粒子の少なくとも一方を含む粒子群を移動可能に収容する複数の収容部が配列する表示層と、
前記表示層の一方側に設けられ、前記各収容部を包含するように配置された共通電極と、
前記表示層の他方側に前記表示層に対して移動可能に設けられ、前記共通電極との間で前記表示層の一部の領域に電圧を印加することができる部分電極と、
前記共通電極および前記部分電極間に電圧を印加する電圧印加手段とを有していることを特徴とする表示装置。
【請求項２】
前記表示層の少なくとも一方の面上には、絶縁層が設けられている請求項１に記載の表示装置。
【請求項３】
前記収容部の静電容量をＣ１とし、前記絶縁層の静電容量をＣ２としたとき、Ｃ１：Ｃ２は、０：１〜１００：１の範囲を満足する請求項２に記載の表示装置。
【請求項４】
前記表示層と前記共通電極とは、離間可能である請求項１ないし３のいずれかに記載の表示装置。
【請求項５】
前記部分電極は、ペン型をなす入力具の先端部に設けられている請求項１ないし４のいずれかに記載の表示装置。
【請求項６】
前記電圧印加手段は、前記共通電極および前記部分電極間に、電圧の上昇と該電圧の上昇の電圧上昇率よりも急峻な電圧の下降とを交互にかつ周期的に繰り返す第１の交番電圧と、電圧の下降と該電圧の下降の電圧降下率よりも急峻な電圧の上昇とを交互にかつ周期的に繰り返す第２の交番電圧とを印加することができる請求項１ないし５のいずれかに記載の表示装置。
【請求項７】
前記第１の電圧において、前記急峻な電圧の下降の際の単位時間あたりの電圧の変化量は、１Ｖ／ｍｓ以上である請求項６に記載の表示装置。
【請求項８】
前記第１の電圧において、前記電圧の上昇の際の単位時間あたりの電圧の変化量は、０．１〜１Ｖ／ｍｓである請求項６または７に記載の表示装置。
【請求項９】
前記第２の電圧において、前記急峻な電圧の上昇の際の単位時間あたりの電圧の変化量は、１Ｖ／ｍｓ以上である請求項６ないし８のいずれかに記載の表示装置。
【請求項１０】
前記第２の電圧において、前記電圧の下降の際の単位時間あたりの電圧の変化量は、０．１〜１Ｖ／ｍｓである請求項６ないし９のいずれかに記載の表示装置。
【請求項１１】
前記収容部には、前記粒子群を分散させた分散液が封入されている請求項１ないし１０のいずれかに記載の表示装置。
【請求項１２】
光透過性を有する第１の絶縁層と、前記第１の絶縁層に対して対向配置された第２の絶縁層と、前記第１の絶縁層および前記第２の絶縁層間に設けられ、正に帯電する正帯電粒子および負に帯電する負帯電粒子の少なくとも一方を含む粒子群を移動可能に収容する複数の収容部を配置してなる表示層とを備えることを特徴とする表示装置。
【請求項１３】
請求項１ないし１２のいずれかに記載の表示装置を備えることを特徴とする電子機器。
【請求項１４】
正に帯電する正帯電粒子および負に帯電する負帯電粒子の少なくとも一方を含む粒子群を移動可能に収容する複数の収容部が配列する表示層と、
前記表示層の一方側に設けられ、前記各収容部を包含するように配置された共通電極と、
前記表示層の他方側に前記表示層に対して移動可能に設けられ、前記共通電極との間で前記表示層の一部の領域に電圧を印加することができる部分電極と、
前記共通電極および前記部分電極間に電圧を印加する電圧印加手段とを有し、
前記電圧印加手段により前記共通電極および前記部分電極間に電界を発生させ、該磁界の作用により、前記表示層の前記共通電極および前記部分電極間に位置する前記収容部内の前記粒子群を移動させることにより、前記表示部に所望の画像情報を書き込むことを特徴とする表示装置の駆動方法。
【発明の詳細な説明】
【技術分野】
【０００１】
本発明は、表示装置、電子機器および表示装置の駆動方法に関するものである。
【背景技術】
【０００２】
例えば、電子ペーパーの画像表示部を構成するものとして、粒子の電気泳動を利用した電気泳動ディスプレイが知られている（例えば、特許文献１参照）。電気泳動ディスプレイは、優れた可搬性および省電力性を有していて、電子ペーパーの画像表示部として、特に適している。
特許文献１には、共通電極基板と、電気泳動層と、画素電極基板とがこの順で積層した構成をなす電気泳動表示装置が開示されている。電気泳動層は、平面状に配置された複数のマイクロカプセルがバインダによって保持されることにより構成され、各マイクロカプセル内には、電気泳動粒子が封入されている。また、共通電極基板は、基板上に共通電極が形成されたものであり実質的に透明である。画素基板電極も、基板上に複数の個別電極が形成されたものである。
【０００３】
特許文献１に記載の電気泳動表示装置は、共通電極および個別電極間に電圧を印加し、当該電圧印加により発生する磁界の作用により電気泳動粒子を泳動させることにより、共通電極基板を介して視認される表示色や、文字、模様などの画像を変更するように構成されている。
しかしながら、このような電気泳動表示装置においては、装置外部から電気泳動層に導かれる入射光の一部および電気泳動層で反射した反射光の一部が、それぞれ、共通電極基板（基板および共通電極）で吸収されてしまい、その分、表示コントラストが低下するという問題がある。
【０００４】
【特許文献１】特開平２００７−５８１５１号公報
【発明の開示】
【発明が解決しようとする課題】
【０００５】
本発明の目的は、高い表示コントラストを発揮することのできる表示装置、電子機器および表示装置の駆動方法を提供することにある。
【課題を解決するための手段】
【０００６】
このような目的は、下記の本発明により達成される。
本発明の表示装置は、正に帯電する正帯電粒子および負に帯電する負帯電粒子の少なくとも一方を含む粒子群を移動可能に収容する複数の収容部が配列する表示層と、
前記表示層の一方側に設けられ、前記各収容部を包含するように配置された共通電極と、
前記表示層の他方側に前記表示層に対して移動可能に設けられ、前記共通電極との間で前記表示層の一部の領域に電圧を印加することができる部分電極と、
前記共通電極および前記部分電極間に電圧を印加する電圧印加手段とを有していることを特徴とする。
これにより、高い表示コントラストを発揮することのできる表示装置を提供することができる。
【０００７】
本発明の表示装置では、前記表示層の少なくとも一方の面上には、絶縁層が設けられていることが好ましい。
これにより、表示層を保護することができる。
本発明の表示装置では、前記収容部の静電容量をＣ１とし、前記絶縁層の静電容量をＣ２としたとき、Ｃ１：Ｃ２は、０：１〜１００：１の範囲を満足することが好ましい。
これにより、正帯電粒子や負帯電粒子を移動させるのに十分な大きさの過渡的な電界を発生させることができる。
【０００８】
本発明の表示装置では、前記表示層と前記共通電極とは、離間可能であることが好ましい。
これにより、装置の操作性が向上する。
本発明の表示装置では、前記部分電極は、ペン型をなす入力具の先端部に設けられていることが好ましい。
これにより、表示部の小型化（特に薄型化）を図ることができる。
【０００９】
本発明の表示装置では、前記電圧印加手段は、前記共通電極および前記部分電極間に、電圧の上昇と該電圧の上昇の電圧上昇率よりも急峻な電圧の下降とを交互にかつ周期的に繰り返す第１の交番電圧と、電圧の下降と該電圧の下降の電圧降下率よりも急峻な電圧の上昇とを交互にかつ周期的に繰り返す第２の交番電圧とを印加することができることが好ましい。
これにより、絶縁層の抵抗成分（電気抵抗）を、例えば従来と比較して十分大きくすることができ、絶縁層の抵抗成分を大きくすることによりリーク電流の発生が防止され、これにより、安定した駆動が可能となるとともに、装置の省電力化を図ることができる。
【００１０】
本発明の表示装置では、前記第１の電圧において、前記急峻な電圧の下降の際の単位時間あたりの電圧の変化量は、１Ｖ／ｍｓ以上であることが好ましい。
これにより、電圧を急激に変化させることができ、過渡的な電界をより確実に発生させることができる。
本発明の表示装置では、前記第１の電圧において、前記電圧の上昇の際の単位時間あたりの電圧の変化量は、０．１〜１Ｖ／ｍｓであることが好ましい。
これにより、電圧の急峻な上昇が防止され、電圧上昇時での過渡的な電界の発生を防止することができる。さらに、電圧を十分に上昇させるために必要な時間を比較的短くすることができるため、第１の電圧の周波数を比較的高くすることができる。
【００１１】
本発明の表示装置では、前記第２の電圧において、前記急峻な電圧の上昇の際の単位時間あたりの電圧の変化量は、１Ｖ／ｍｓ以上であることが好ましい。
これにより、電圧を急激に変化させることができ、過渡的な電界をより確実に発生させることができる。
本発明の表示装置では、前記第２の電圧において、前記電圧の下降の際の単位時間あたりの電圧の変化量は、０．１〜１Ｖ／ｍｓであることが好ましい。
これにより、電圧の急峻な下降が防止され、電圧下降時での過渡的な電界の発生を防止することができる。さらに、電圧を十分に下降させるために必要な時間を比較的短くすることができるため、第２の電圧の周波数を比較的高くすることができる。
【００１２】
本発明の表示装置では、前記収容部には、前記粒子群を分散させた分散液が封入されていることが好ましい。
これにより、表示装置を電気泳動表示装置として利用することができる。
本発明の表示装置は、光透過性を有する第１の絶縁層と、前記第１の絶縁層に対して対向配置された第２の絶縁層と、前記第１の絶縁層および前記第２の絶縁層間に設けられ、正に帯電する正帯電粒子および負に帯電する負帯電粒子の少なくとも一方を含む粒子群を移動可能に収容する複数の収容部を配置してなる表示層とを備えることを特徴とする。
これにより、高い表示コントラストを発揮することのできる表示装置を提供することができる。
【００１３】
本発明の電子機器は、本発明の表示装置を備えることを特徴とする。
これにより、高い表示コントラストを発揮することのできる電子機器を提供することができる。
本発明の表示装置の駆動方法は、正に帯電する正帯電粒子および負に帯電する負帯電粒子の少なくとも一方を含む粒子群を移動可能に収容する複数の収容部が配列する表示層と、
前記表示層の一方側に設けられ、前記各収容部を包含するように配置された共通電極と、
前記表示層の他方側に前記表示層に対して移動可能に設けられ、前記共通電極との間で前記表示層の一部の領域に電圧を印加することができる部分電極と、
前記共通電極および前記部分電極間に電圧を印加する電圧印加手段とを有し、
前記電圧印加手段により前記共通電極および前記部分電極間に電界を発生させ、該磁界の作用により、前記表示層の前記共通電極および前記部分電極間に位置する前記収容部内の前記粒子群を移動させることにより、前記表示部に所望の画像情報を書き込むことを特徴とする。
これにより、高い表示コントラストを発揮することのできる表示装置の駆動方法を提供することができる。
【発明を実施するための最良の形態】
【００１４】
以下、本発明の表示装置、電子機器および表示装置の駆動方法を添付図面に示す好適実施形態に基づいて詳細に説明する。なお、以下では、本発明の表示装置を電気泳動表示装置に適用した場合について説明する。
＜電気泳動表示装置＞
≪第１実施形態≫
まず、本発明の表示装置（電気泳動表示装置）の第１実施形態について説明する。
【００１５】
図１は、本発明の表示装置（電気泳動表示装置）の第１実施形態を模式的に示す斜視図、図２は、図１に示す表示装置が備える表示シートの断面図、図３は、図２に示す表示シートの作動を説明するための図、図４は、所望の画像が書き込まれた表示シートを示す図、図５は、図２に示す表示シートの表示層を等価回路で表した図、図６は、従来の電気泳動表示装置の駆動電圧を示す図、図７、８は、それぞれ、図２に示す表示シートを駆動する駆動電圧を示す図である。なお、以下では、説明の都合上、図１中の上側を「上」、下側を「下」として説明を行う。
図１に示すように、電気泳動表示装置１は、表示シート（表示部）２と、書き込み装置８とを有している。以下、これらの構成について、順次、詳細に説明する。
【００１６】
−表示シート２−
表示シート２は、電気泳動粒子の電気泳動を利用して画像の表示を行う電気泳動表示シートである。
図２に示すように、この表示シート２は、表示層３と、表示層３の上面に設けられた上側絶縁層４１と、表示層３の下面に設けられた下側絶縁層４２とで構成されている。表示シート２では、上側絶縁層４１が表示面２１を構成しており、上側絶縁層４１を介して表示層３を視認することにより、所定の画像を認識することができるようになっている。
【００１７】
表示層３は、複数のマイクロカプセル（収容部）３１がバインダ３２で固定（保持）されることにより構成されている。また、複数のマイクロカプセル３１は、上側絶縁層４１と下側絶縁層４２との間に、縦横に並列するように単層で（厚さ方向に重なることなく１個ずつ）配設されている。なお、表示層３は、複数のマイクロカプセル３１が１列に配列されているもの（すなわち１次元的な配置のもの）であってもよい。
【００１８】
本実施形態では、各マイクロカプセル３１は、上側絶縁層４１と下側絶縁層４２とで挟持されることにより、上下方向に圧縮され、水平方向に拡がって扁平形状となっている。このような構成により、表示シート２では、有効表示領域が増大し、コントラストが良好なものとなる。また、後述する正帯電粒子Ａおよび負帯電粒子Ｂの上下方向への移動距離を短縮することができるため、表示色の切り替え速度の向上を図ることもできる。
【００１９】
各マイクロカプセル３１は、カプセル本体（殻体）３１１を有しており、その内部（内部空間）には、電気泳動分散液が充填されている。
カプセル本体３１１の構成材料としては、例えば、ゼラチン、アラビアゴムとゼラチンとの複合材料、ウレタン系樹脂、メラミン系樹脂、尿素樹脂、エポキシ系樹脂、フェノール系樹脂、アクリル系樹脂、ウレタン系樹脂、オレフィン系樹脂、ポリアミド、ポリエーテルのような各種樹脂材料が挙げられ、これらのうち１種または２種以上を組み合わせて用いることができる。
【００２０】
また、カプセル本体３１１は、複数の層の積層体で構成されていてもよい。この場合、最内層の構成材料としては、メラミン系樹脂、尿素樹脂のようなアミノ樹脂、またはこれらの複合樹脂等が好ましく用いられる。一方、最外層の構成材料としては、エポキシ系樹脂が好ましく用いられる。
カプセル本体３１１内に充填（封入）された電気泳動分散液は、正帯電粒子Ａと、負帯電粒子Ｂとを液相分散媒６に分散（懸濁）してなるものである。正帯電粒子Ａおよび負帯電粒子Ｂの液相分散媒６への分散は、例えば、ペイントシェーカー法、ボールミル法、メディアミル法、超音波分散法、撹拌分散法等のうちの１種または２種以上を組み合わせて行うことができる。
【００２１】
液相分散媒６としては、例えば、ベンゼン系炭化水素などの芳香族炭化水素類、ｎ−ヘキサン、ｎ−デカンなどのパラフィン系炭化水素、アイソパー（Ｉｓｏｐａｒ、エクソン化学社製）などのイソパラフィン系炭化水素、１−オクテン、１−デセンなどのオレフィン系炭化水素、ナフテン系炭化水素などの脂肪族炭化水素類、ケロシン、石油エーテル、石油ベンジン、リグロイン、工業ガソリン、石油ナフサなどの石油や石油由来の炭化水素混合物、ジクロロメタン、クロロホルムなどのハロゲン化炭化水素類、ジメチルシリコーンオイル、メチルフェニルシリコーンオイルなどのシリコーンオイル類（有機シリコーンオイル類）、ハイドロフルオロエーテルなどのフッ素系溶剤（有機フッ素系溶剤）等が好ましく用いられる。また、これらの中でも、粘度の調整を容易に行うことができる点から、有機シリコーンオイル類がより好ましく用いられる。
【００２２】
次いで、正帯電粒子Ａおよび負帯電粒子Ｂについて説明する。
正帯電粒子Ａは、白色をなし、正に帯電する電気泳動粒子である。また、負帯電粒子Ｂは、黒色をなし、負に帯電する電気泳動粒子である。このように、白色の正帯電粒子Ａと黒色の負帯電粒子Ｂとを用いることにより、表示シート２の白黒表示が可能となり、表示シート２の表示コントラストが向上する。
【００２３】
なお、本実施形態では、正帯電粒子Ａとして白色の粒子を用い、負帯電粒子Ｂとして黒色の粒子を用いているが、正帯電粒子Ａおよび負帯電粒子Ｂの色としては、互いに異なっていれば特に限定されず、それぞれ、例えば、赤色、青色、緑色などの有彩色や、金色、銀色等の金属光沢色から目的に合わせて適宜選択することができる。
また、正帯電粒子Ａおよび負帯電粒子Ｂの色の組み合わせとしても、上記のものに限定されず、例えば、正帯電粒子Ａが黒色、負帯電粒子Ｂが白色である組み合わせや、正帯電粒子Ａが青色、負帯電粒子Ｂが赤色である組み合わせや、正帯電粒子Ａが金色、負帯電粒子Ｂが銀色である組み合わせであってもよい。
【００２４】
以上のような正帯電粒子Ａおよび負帯電粒子Ｂには、それぞれ、電荷を有するものであれば、いかなるものをも用いることができ、特に限定はされないが、顔料粒子、樹脂粒子またはこれらの複合粒子のうちの少なくとも１種が好適に使用される。これらの粒子は、製造が容易であるとともに、帯電量の制御を比較的容易に行うことができるという利点を有している。
【００２５】
顔料粒子を構成する顔料としては、例えば、アニリンブラック、カーボンブラック、チタンブラック等の黒色顔料、酸化チタン、酸化アンチモン等の白色顔料、モノアゾ等のアゾ系顔料、イソインドリノン、黄鉛等の黄色顔料、キナクリドンレッド、クロムバーミリオン等の赤色顔料、フタロシアニンブルー、インダスレンブルー等の青色顔料、フタロシアニングリーン等の緑色顔料等が挙げられ、これらのうち１種または２種以上を組み合わせて用いることができる。
【００２６】
このうち、顔料粒子としては、酸化チタン粒子が白色の粒子（本実施形態では正帯電粒子Ａ）として好適に用いられ、チタンブラック粒子が黒色の粒子（本実施形態では負帯電粒子Ｂ）として好適に用いられる。これらの粒子は、電界に対する応答性が高く、また、反射率の差が大きいことから、表示シート２の高コントラスト表示を可能にするものである。
【００２７】
また、樹脂粒子を構成する樹脂材料としては、例えば、アクリル系樹脂、ウレタン系樹脂、尿素系樹脂、エポキシ系樹脂、ポリスチレン、ポリエステル等が挙げられ、これらのうちの１種または２種以上を組み合わせて用いることができる。
また、複合粒子としては、例えば、顔料粒子の表面を樹脂材料や他の顔料で被覆したもの、樹脂粒子の表面を顔料で被覆したもの、顔料と樹脂材料とを適当な組成比で混合した混合物で構成される粒子等が挙げられる。
顔料粒子の表面を他の顔料で被覆した粒子としては、例えば、酸化チタン粒子の表面を、酸化珪素や酸化アルミニウムで被覆したものを例示することができる。
【００２８】
また、正帯電粒子Ａおよび負帯電粒子Ｂの形状は、それぞれ、特に限定されないが、球形状であるのが好ましい。
正帯電粒子Ａおよび負帯電粒子Ｂは、それぞれ、液相分散媒６中での分散性を考慮した場合、より小さいものが好適に用いられ、具体的には、その平均粒径が、１０〜５００ｎｍ程度であるのが好ましく、２０〜３００ｎｍ程度であるのがより好ましい。正帯電粒子Ａおよび負帯電粒子Ｂの平均粒径を前記範囲とすることにより、正帯電粒子Ａと負帯電粒子Ｂの凝集や、正帯電粒子Ａや負帯電粒子Ｂの沈降を防止することができ、正帯電粒子Ａおよび負帯電粒子Ｂを液相分散媒６中に分散させた状態を維持することができる。その結果、電気泳動表示装置１の表示品質の劣化を好適に防止することができる。
【００２９】
なお、本実施形態のように２種の異なる粒子（正帯電粒子Ａおよび負帯電粒子Ｂ）を用いる場合、２種の粒子の平均粒径を異ならせること、特に、白色の正帯電粒子Ａの平均粒径を黒色の負帯電粒子Ｂの平均粒径より大きく設定するのが好ましい。これにより、電気泳動表示装置１の表示コントラストをより向上させることや、保持特性を向上させることができる。具体的には、黒色の負帯電粒子Ｂの平均粒径を２０〜１００ｎｍ程度、白色の正帯電粒子Ａの平均粒径を１５０〜３００ｎｍ程度とするのが好ましい。
【００３０】
また、正帯電粒子Ａおよび負帯電粒子Ｂの比重は、それぞれ、液相分散媒６の比重とほぼ等しくなるように設定されているのが好ましい。これにより、正帯電粒子Ａおよび負帯電粒子Ｂは、後述する電界の作用を受けた後においても、液相分散媒６中において一定の位置に長時間滞留することができる。
バインダ３２は、例えば、上側絶縁層４１と下側絶縁層４２とを接合する目的、上側絶縁層４１と下側絶縁層４２との間に各マイクロカプセル３１を固定する目的等により供給される。これにより、表示シート２の耐久性および信頼性をより向上させることができる。
【００３１】
このバインダ３２には、上側絶縁層４１、下側絶縁層４２およびカプセル本体３１１との親和性（密着性）に優れ、かつ、絶縁性に優れる樹脂材料が好適に使用される。
このようなバインダ３２としては、例えば、ポリアクリロニトリル、ポリエチレン、ポリプロピレン、ポリエチレンテレフタレート、ポリカーボネート、ナイロン６６、ポリウレタン等のウレタン系樹脂、エポキシド、ポリイミド、ＡＢＳ樹脂、ポリ酢酸ビニル、ポリメタクリル酸メチル、ポリメタクリル酸エチル、ポリメタクリル酸ブチル、ポリメタクリル酸オクチル等のメタクリル酸エステル樹脂、塩化ビニル樹脂、セルロース系樹脂、シリコーン系樹脂、エチレン−酢酸ビニル共重合物等の各種樹脂材料が挙げられ、これらのうちの１種または２種以上を組み合わせて用いることができる。
【００３２】
表示層３を介して対向配置された上側絶縁層４１および下側絶縁層４２は、それぞれ、絶縁性を有するシート状（平板状）の部材で構成されている。このような一対の絶縁層４１、４２は、表示層３（マイクロカプセル３１）を保護する機能を有している。
上側絶縁層４１は、表示面２１を構成するために光透過性を有するもの、すなわち、実質的に透明（無色透明、有色透明または半透明）とされる。これにより、表示面２１側から、表示層３の状態（各マイクロカプセル３１中の電気泳動粒子Ａ、Ｂの状態）、すなわち表示シート２に表示された画像（情報）を目視により認識することができる。
【００３３】
下側絶縁層４２については、上側絶縁層４１のような光透過性の有無は問わない。
各絶縁層４１、４２は、それぞれ、可撓性を有するもの、硬質なもののいずれであってもよいが、可撓性を有するものであるのが好ましい。可撓性を有する絶縁層４１、４２を用いることにより、可撓性を有する表示シート２を得ることができる。
各絶縁層４１、４２は、書き込み装置８が備える後述する共通電極８２および部分電極８３間に電圧を印加した際に、電流のリークパスを形成することのないような、十分に高い抵抗成分（抵抗値）を有していることが好ましい。
【００３４】
各絶縁層４１、４２の抵抗値としては、共通電極８２および部分電極８３間に印加される電圧の強さによっても異なるが、５〜２０ＧΩであることが好ましく、１０〜１５ＧΩであることがより好ましい。これにより、上述のような電流のリークを効果的に防止することができ、表示シート２を安定して駆動させることができる。
上側絶縁層４１の厚さ（平均厚さ）ｄ４１は、上側絶縁層４１の誘電率ε４１によっても異なるが、２０〜５００μｍ程度であるのが好ましく、２５〜２５０μｍ程度であるのがより好ましい。これにより、表示シート２の柔軟性と強度との調和を図りつつ、表示シート２の小型化（薄型化）を図ることができる。下側絶縁層４２の厚さｄ４２についても、上側絶縁層４１と同様である。
【００３５】
各絶縁層４１、４２を可撓性を有するものとする場合、その構成材料としては、それぞれ、例えば、ポリエチレン等のポリオレフィン、変性ポリオレフィン、ポリアミド、熱可塑性ポリイミド、ポリエーテル、ポリエーテルエーテルケトン、ポリウレタン系、塩素化ポリエチレン系等の各種熱可塑性エラストマー等、またはこれらを主とする共重合体、ブレンド体、ポリマーアロイ等が挙げられ、これらのうちの１種または２種以上を混合して用いることができる。
【００３６】
上側絶縁層４１と下側絶縁層４２との間には、それらの縁部に沿うようにして封止部７が設けられている。この封止部７により、表示層３が気密的に封止されている。これにより、表示シート２内への水分の浸入を防止して、表示シート２の表示性能の劣化をより確実に防止することができる。
封止部７の構成材料としては、例えば、アクリル系樹脂、ウレタン系樹脂、オレフィン系樹脂のような熱可塑性樹脂、エポキシ系樹脂、メラミン系樹脂、フェノール系樹脂のような熱硬化性樹脂等の各種樹脂材料等が挙げられ、これらのうちの１種または２種以上を組み合わせて用いることができる。なお、封止部は、必要に応じて設ければよく、省略することもできる。
【００３７】
−書き込み装置８−
書き込み装置８は、表示シート２に所望の画像（模様、色彩、文字、絵、またはこれらの組み合わせ等）を書き込む際に使用する装置である。そのため、表示シート２への画像の書き込みが完了した後は、表示シート２は、書き込み装置８から取り外されることとなる。
書き込み装置８は、台座８１と、台座８１上に設けられたシート状（板状）の共通電極８２と、先端に部分電極８３が設けられた書き込みペン（入力具）８４と、共通電極８２および部分電極８３間に電圧を印加する電圧印加手段（電界発生手段）８５とを有している。
【００３８】
共通電極８２は、表示シート２を載置する載置部としても機能するものであり、表示シート２への画像の書き込みは、共通電極８２上に表示シート２を載置した状態で行われる。そのため、共通電極８２は、共通電極８２を載置した際に、表示シート２（表示層３中の各マイクロカプセル３１）を包含することができるようになっている。本実施形態の共通電極８２は、その平面視形状が表示シート２の平面視形状よりも若干サイズの大きい相似形をなしている。
【００３９】
前述したように、表示シート２への画像の書き込みを行う際には、表示シート２を共通電極８２上に載置し、書き込みが完了した後（すなわち、書き込み以外のとき）には、表示シート２を共通電極８２上から取り除かれることから、表示シート２と共通電極８２とは離間可能であり、また、表示シート２は、共通電極８２に対して着脱自在であると言える。
【００４０】
書き込みペン８４は、例えば、絶縁性を有するプラスチック材料で構成されていて、使用者が手に持って、表示シート２の表示面２１をなぞるようにして使用するものである。このような書き込みペン８４の先端には、部分電極８３が設けられている。また、書き込みペン８４の先端側には、ボタン８４１が設けられており、このボタン８４１を操作することにより、電圧印加手段８５と部分電極８３との導通をＯＮ／ＯＦＦする。
【００４１】
部分電極８３は、書き込みペン８４に設けられていることから、表示シート２に対して移動可動であると言える。
部分電極８３は、表示シート２の表示面２１の面積よりも十分に小さい面積（平面視での面積）を有している。そのため、書き込み装置８によれば、共通電極８２と部分電極８３との間で、表示層３の一部の領域に電圧を印加することができ、後述するように、使用者の思いのままの画像を表示シート２に書き込む（描く）ことができる。
【００４２】
部分電極８３の面積（平面視での面積）としては、特に限定されず、目的に合わせて適宜設定することができる。部分電極８３の面積が小さいほど、細い線を描くことができるため、細かい画像を書き込むことができる。
共通電極８２および部分電極８３の構成材料としては、それぞれ、実質的に導電性を有するものであれば特に限定されず、例えば、銅、アルミニウムまたはこれらを含む合金等の金属材料、カーボンブラック等の炭素系材料、ポリアセチレン、ポリフルオレンまたはこれらの誘導体等の電子導電性高分子材料、ポリビニルアルコール、ポリカーボネート等のマトリックス樹脂中に、ＮａＣｌ、Ｃｕ（ＣＦ３ＳＯ３）２等のイオン性物質を分散させたイオン導電性高分子材料、インジウム酸化物（ＩＯ）等の導電性酸化物材料のような各種導電性材料が挙げられ、これらのうちの１種または２種以上を組み合わせて用いることができる。
【００４３】
電圧印加手段８５は、共通電極８２および部分電極８３間に、共通電極８２側が正電位、部分電極８３側が負電位となるような電界を発生させることのできる電圧Ｖ３と、反対に、共通電極８２側が負電位、部分電極８３側が正電位となるような電界を発生させることのできる電圧Ｖ５とを印加することができる。なお、電圧Ｖ３、Ｖ５の波形等については、後に詳述する。
【００４４】
−表示シート２の作動−
次いで、図３に基づいて、表示シート２の作動（表示色の切り替え）について説明する。なお、各マイクロカプセル３１は同様の構成であるため、以下では、説明の便宜上、１つのマイクロカプセル３１について代表して説明し、その他のマイクロカプセル３１については、その説明を省略する。
また、図３は、表示シート２の下側絶縁層４２を共通電極８２に向けて、表示シート２を共通電極８２に載置し、かつ、書き込みペン８４の先端に設けられた部分電極８３を表示シート２の表示面２１に接触させた状態を示している。
【００４５】
≪白色表示状態≫
まず、表示面２１に白色が表示される状態について説明する。
電圧印加手段８５により、一対の電極８２、８３間に、共通電極８２側が正電位、部分電極８３側が負電位となるような電圧（電圧Ｖ３）を印加し、共通電極８２側が正電位、部分電極８３側が負電位の電界を発生させる。
【００４６】
この電界がマイクロカプセル３１に作用すると、正帯電粒子Ａは、負電位となっている部分電極８３側に向けて泳動し、一方の負帯電粒子Ｂは、正電位となっている共通電極８２側に向けて泳動する。
このような正帯電粒子Ａ、負帯電粒子Ｂの泳動により、図３（ａ）に示すように、正帯電粒子Ａが部分電極８３側に偏在するとともに、負帯電粒子Ｂが共通電極８２側に偏在することとなる。このようにして、表示面２１に正帯電粒子Ａの色（白色）が表示される白色表示状態となる。
【００４７】
≪黒色表示状態≫
次いで、表示面２１に黒色が表示される状態について説明する。
電圧印加手段８５により、一対の電極８２、８３間に共通電極８２側が負電位、部分電極８３側が正電位となるような電圧（電圧Ｖ５）を印加し、共通電極８２側が負電位、部分電極８３側が正電位の電界を発生させる。
【００４８】
この電界がマイクロカプセル３１に作用すると、負帯電粒子Ｂは、正電位となっている部分電極８３側に向けて泳動し、一方の正帯電粒子Ａは、負電位となっている共通電極８２側に向けて泳動する。
このような正帯電粒子Ａ、負帯電粒子Ｂの泳動により、図３（ｂ）に示すように、負帯電粒子Ｂが部分電極８３側に偏在するとともに、正帯電粒子Ａが共通電極８２側に偏在することとなる。このようにして、表示面２１に負帯電粒子Ｂの色（黒色）が表示される黒色表示状態となる。
【００４９】
このような構成において、正帯電粒子Ａ（白色粒子）および負帯電粒子Ｂ（黒色粒子）の泳動をマイクロカプセル３１ごとに選択することによって、表示シート２の表示面２１に、正帯電粒子Ａおよび負帯電粒子Ｂによる反射光に基づいて、所望の情報（画像）を表示することができる。
例えば、表示面２１の全領域（全てのマイクロカプセル３１）を前述した白色表示状態とし、一対の電極８２、８３間に電圧Ｖ３を印加しながら、表示面２１をなぞるようにして書き込みペン８４を移動させると、書き込みペン８４の軌道上に位置するマイクロカプセル３１のみが黒色表示状態に切り替わり、結果として、書き込みペン８４の軌道に対応した黒色の線が表示面２１に描かれることとなる。これにより、例えば、図４に示すような画像（「花」の絵と「ｆｌｏｗｅｒ」の文字の組み合わせ）を描くことができる。
【００５０】
なお、前述したように、表示シート２の各マイクロカプセル３１では、電界の作用を受けた後においても、正帯電粒子Ａおよび負帯電粒子Ｂの状態を長期間維持することができるため、上述のような画像の書き込みが可能となっている。
また、例えば、２画以上の文字のように、表示面２１の異なる位置から書き始める線や点が２以上存在する場合には、所定の線の終点から、次の線の始点に書き込みペン８４を移動させている間は、ボタン８４１を操作することにより電圧印加手段８５と部分電極８３の導通を解除しておくことが好ましい。これにより、表示シート２への不本意な書き込みを効果的に防止することができる。
以上、表示シート２の作動について説明した。
【００５１】
次いで、前述した電圧Ｖ３、Ｖ５について詳細に説明する。なお、以下では、表示シート２が図３に示すような状態となっていること、すなわち、表示シート２が共通電極８２に載置され、かつ、部分電極８３が表示面２１に接触している状態となっていることを前提として説明する。
図５（ａ）は、１つのマイクロカプセル３１に対応する領域（図３に示す領域）を等価回路として示した図である。同図中のＲｂ１、ＲｃおよびＲｂ２は、それぞれ、上側絶縁層４１の抵抗成分（抵抗値）、マイクロカプセル３１の抵抗成分および下側絶縁層４２の抵抗成分である。また、同図中のＲｂ１、ＲｃおよびＲｂ２は、それぞれ、上側絶縁層４１の容量成分（静電容量）、マイクロカプセル３１の容量成分および下側絶縁層４２の容量成分である。
【００５２】
このような図５（ａ）に示す等価回路は、図５（ｂ）のような等価回路に簡略化することができる。同図中のＲｂは、上側絶縁層４１の抵抗成分Ｒｂ１と下側絶縁層４２の抵抗成分Ｒｂ２の合成成分であり、これと同様に、Ｃｂは、上側絶縁層４１の容量成分Ｃｂ１と下側絶縁層４２の容量成分Ｃｂ２の合成成分である。なお、以下では、Ｒｂを単に「絶縁層の抵抗成分」とも言い、Ｃｂを単に「絶縁層の容量成分」とも言う。
【００５３】
ここで、電圧Ｖ３、Ｖ５について説明するのに先立って、従来から広く用いられていた電圧（電圧Ｖ１）を一対の電極８２、８３間に印加した場合について説明する。
従来では、黒色表示状態とする際、黒色の負帯電粒子Ｂを表示面２１側に偏在させるために、一対の電極８２、８３間に、図６（ａ）に示すような電圧Ｖ１が１回または、複数回印加されていた。
【００５４】
電圧Ｖ１は、時刻Ｔａにおいて電圧が急激に加わった後は、所定時間、電圧値が一定に保たれる電圧である。ここで、マイクロカプセル３１は、上側絶縁層４１と下側絶縁層４２とに挟まれているため、一対の電極８２、８３間に電圧Ｖ１を印加しても、電圧Ｖ１がそのままマイクロカプセル３１に印加されるのではなく、図６（ｂ）のような電圧Ｖ２がマイクロカプセル３１に印加されることとなる。
【００５５】
電圧Ｖ２は、過渡応答時間内電圧Ｖ２１と、電圧値がほぼ一定に保たれる過渡応答時間外電圧Ｖ２２とを、交互にかつ周期的に繰り返す電圧である。
過渡応答時間内電圧Ｖ２１は、一対の電極８２、８３間に電圧Ｖ１が印加され、電圧が急激（急峻）に上昇するのに伴って、その電圧上昇時刻から一定時間（過渡応答時間（時刻Ｔａ〜Ｔｂの間））の間、過渡的に発生する電圧であり、最大電圧値ＥＶ２１の鋭いピークを有している。この過渡応答時間内電圧Ｖ２１は、マイクロカプセル３１の容量成分Ｃｃと絶縁層の容量成分Ｃｂの比で規定される分圧である。
【００５６】
一方、過渡応答時間外電圧Ｖ２２は、過渡応答時間を経過した後（時刻Ｔｂ以降）に発生し、その電圧値ＥＶ２２が過渡応答時間内電圧Ｖ２１の最大電圧値ＥＶ２１よりも低い値に保たれる電圧である。この過渡時間外電圧Ｖ２２は、マイクロカプセル３１の抵抗成分Ｒｃと絶縁層の抵抗成分Ｒｂの比で規定される分圧である。
すなわち、例えば、一対の電極８２、８３間に電圧値Ｅ０の電圧を印加した場合、過渡応答時間内電圧Ｖ２１の最大電圧値ＥＶ２１は、｛Ｃｂ／（Ｃｃ＋Ｃｂ）｝Ｅ０で表わすことができ、過渡応答時間外電圧Ｖ２２の電圧値ＥＶ２２は、｛Ｒｃ／（Ｒｃ＋Ｒｂ）｝Ｅ０で表わすことができる。
【００５７】
ここで、図６（ｂ）に示されているように、マイクロカプセル３１に過渡応答時間内電圧Ｖ２１が印加される時間は、マイクロカプセル３１に過渡応答時間外電圧Ｖ２２が印加される時間よりもはるかに短い。そのため、表示シート２の駆動は、過渡応答時間外電圧Ｖ２２によって支配的に行われることとなる。
この点からすれば、ＥＶ２２＝｛Ｒｃ／（Ｒｃ＋Ｒｂ）｝Ｅ０なる関係から明らかなように、絶縁層の抵抗成分Ｒｂを小さくすれば、一対の電極８２、８３間に印加する電圧Ｖ１の電圧値を低く抑えつつ、過渡応答時間外電圧Ｖ２２の電圧値ＥＶ２２を高くすることができ、表示シート２の省電力駆動を実現することができる。
【００５８】
しかしながら、絶縁層の抵抗成分Ｒｂを小さくすることにより、上側絶縁層４１および下側絶縁層４２がそれぞれ電流のリークパスを形成し、リーク電流が増加したり、リーク電流の増加に伴う表示シート２の誤作動を招いたりするおそれがある。
このような問題点に鑑み、本実施形態では、従来の電圧のように、抵抗成分Ｒｃ、Ｒｂの比で規定される過渡応答時間外電圧により表示シート２を駆動させるのではなく、容量成分Ｃｃ、Ｃｂの比で規定される過渡応答時間内電圧により表示シート２を駆動させることとした。この駆動方法によれば、上側絶縁層４１の抵抗成分Ｒｂ１および下側絶縁層４２の抵抗成分Ｒｂ２を、それぞれ、前述したように、リーク電流を防止するのに十分な大きさとすることができ、これにより、リーク電流の発生が防止され、表示シート２の安定した駆動が可能となるとともに、省電力化を図ることもできる。
【００５９】
以下では、容量成分Ｃｃ、Ｃｂの比で規定される過渡応答時間内電圧によって電気泳動表示装置１を駆動させるために、一対の電極８２、８３間に印加する電圧、すなわち、電圧Ｖ３、Ｖ５について、具体的に説明する。
まず、前述した白色表示状態とする際に、一対の電極８２、８３間に印加する電圧Ｖ３について説明する。
【００６０】
図７（ａ）に示すように、電圧Ｖ３は、電圧の上昇と、該電圧の上昇の電圧上昇率よりも急峻な電圧の下降とを交互にかつ周期的に繰り返すノコギリ波状の交番電圧である。
電圧Ｖ３中、時刻Ｔ０から時刻Ｔ１に到達するまでの間、時刻Ｔ１から時刻Ｔ３に到達するまでの間等では、直線的かつ緩やかに電圧が上昇している。この電圧上昇時における単位時間当たりの電圧の変化量は、０．１〜１．０Ｖ／ｍｓ程度であることが好ましく、０．１〜０．５Ｖ／ｍｓ程度であることがより好ましい。
【００６１】
電圧上昇時における単位時間当たりの電圧の変化量を上述の範囲とすることにより、電圧の急峻な上昇が防止され、電圧上昇時での過渡応答時間内電圧の発生を防止することができる。そのため、白色表示状態とするためにマイクロカプセル３１に作用させたい電界とは向きが反対の電界（部分電極８３側が正電位、共通電極８２側が負電位の電界）の発生を防止することができ、正帯電粒子Ａおよび負帯電粒子Ｂをそれぞれ所望の方向へスムーズに泳動させることができる。
【００６２】
さらに、電圧上昇時における単位時間当たりの電圧の変化量を上述の範囲とすることにより、電圧を所定値まで上昇させるために必要な時間を比較的短くすることができるため、電圧Ｖ３の周期を短くすることができ、単位時間あたりにより多くの過渡応答時間内電圧を発生させることができる。そのため、表示色の切り替え速度の向上を図ることができる。
【００６３】
一方、時刻Ｔ１、Ｔ３等では、電圧が急峻に下降している。このような電圧下降時における単位時間あたりの電圧の変化量（下降量）は、大きいほど良いが、１Ｖ／ｍｓ以上であることが好ましい。なお、本実施形態では、電圧が時間軸（横軸）に対して略直角な方向に向けて下降している（すなわち、単位時間あたりの電圧の変化量が∞／ｍｓ）。これにより、電圧を急激に変化させることができ、これに伴って、過渡応答時間内電圧をより確実に発生させることができる。
【００６４】
また、電圧Ｖ３の周波数としては、特に限定されないが、１０ｋＨｚ〜１００ＭＨｚ程度であるのが好ましく、１００ｋＨｚ〜１０ＭＨｚであるのがより好ましい。
電圧Ｖ３の周波数を上記範囲とすることにより、電圧Ｖ３の各周期において電圧を上昇させる時間（例えば時刻Ｔ０〜時刻Ｔ１までの時間）を十分に確保することができるため、電圧Ｖ３の最大値Ｅｍａｘと最小値Ｅｍｉｎの差を大きくすることができる。これにより、より確実に過渡応答時間内電圧を発生させることができる。
【００６５】
また、これに加えて、単位時間あたりに、より多くの過渡応答時間電圧を発生させることができ、単位時間あたりの正帯電粒子Ａおよび負帯電粒子Ｂの泳動距離を長くすることができる。その結果、表示色の切り替え速度の向上を図ることができる。
なお、電圧Ｖ３の最大値Ｅｍａｘとしては、特に限定されないが、１Ｖ程度であることが好ましい。また、電圧Ｖ３の最小値Ｅｍｉｎとしては、特に限定されないが、−１Ｖ程度であることが好ましい。
【００６６】
以上のような電圧Ｖ３が一対の電極８２、８３間に印加されると、図７（ｂ）に示すような電圧Ｖ４がマイクロカプセル３１に印加されることとなる。すなわち、上側絶縁層４１の抵抗成分Ｒｂ１および下側絶縁層４２の抵抗成分Ｒｂ２が前述したように大きいため、電圧Ｖ３の電圧上昇時には、その電圧の大半（ほぼ全て）が上側絶縁層４１および下側絶縁層４２に印加され、マイクロカプセル３１にはほとんど印加されず、絶縁層の抵抗成分Ｒｂの大きさに影響を受けない、電圧Ｖ３の急峻な電圧の下降の際に発生する過渡応答時間内電圧Ｖ４１のみがマイクロカプセル３１に印加されることとなる。
【００６７】
このような電圧Ｖ４がマイクロカプセル３１に印加されると、過渡応答時間内電圧Ｖ４１が発生しているときに、部分電極８３側が負、共通電極８２側が正となるような電界がマイクロカプセル３１に作用し、白色の正帯電粒子Ａが部分電極８３側に、黒色の負帯電粒子Ｂが共通電極８２側に、それぞれ泳動する。これにより、前述したような白色表示状態となる。
【００６８】
また、このような電圧Ｖ４がマイクロカプセル３１に印加されても、過渡応答時間内電圧Ｖ４１が発生していないときは、一対の電極８２、８３間に電流がほとんど流れないため、電力がほとんど消費されず、最大電圧値Ｅｍａｘを比較的大きく設定（例えば前述したような１Ｖ）しても、省電力駆動を行うことができる。すなわち、電圧Ｖ４によれば、表示シート２の表示切り替え速度の向上を図りつつ、省電力化を図ることができる。
【００６９】
次いで、前述した黒色表示状態とする際に、一対の電極８２、８３間に印加する電圧Ｖ５について説明する。
図８（ａ）に示すように、電圧Ｖ５は、電圧の下降と、該電圧の下降の電圧下降率よりも急峻な電圧の上昇とを交互にかつ周期的に繰り返すノコギリ波状の交番電圧である。このような電圧Ｖ５は、前述した電圧Ｖ３と、時間軸に対して対称な波形を有する電圧でもある。
【００７０】
電圧Ｖ５中、時刻Ｔ０から時刻Ｔ１に到達するまでの間、時刻Ｔ１から時刻Ｔ３に到達するまでの間等では、直線的かつ緩やかに電圧が下降している。このような電圧下降時における単位時間当たりの電圧の変化量は、０．１〜１．０Ｖ／ｍｓ程度であることが好ましく、０．１〜０．５Ｖ／ｍｓ程度であることがより好ましい。
電圧下降時における単位時間当たりの電圧の変化量を上述の範囲とすることにより、電圧の急峻な下降が防止され、電圧下降時での過渡応答時間内電圧の発生を防止することができる。そのため、黒色表示状態とするためにマイクロカプセル３１に作用させたい電界とは向きが反対の電界（部分電極８３側が負電位、共通電極８２側が正電位の電界）の発生を防止することができ、正帯電粒子Ａおよび負帯電粒子Ｂをそれぞれ所望の方向へスムーズに泳動させることができる。
【００７１】
さらに、電圧下降時における単位時間当たりの電圧の変化量を上述の範囲とすることにより、電圧を所定値まで下降させるために必要な時間を比較的短くすることができるため、電圧Ｖ５の周期を短くすることができ、単位時間あたりにより多くの過渡応答時間内電圧を発生させることができる。そのため、表示色の切り替え速度の向上を図ることができる。
【００７２】
一方、時刻Ｔ１、Ｔ３等では、電圧が急峻に上昇している。このような電圧上昇時における単位時間あたりの電圧の変化量は、大きいほど良いが、１Ｖ／ｍｓ以上であることが好ましい。なお、本実施形態では、電圧が時間軸（横軸）に対して略直角な方向に向けて上昇している（すなわち、単位時間あたりの電圧の変化量が∞／ｍｓ）。これにより、電圧を急激に変化させることができ、これに伴って、過渡応答時間内電圧をより確実に発生させることができる。
【００７３】
また、電圧Ｖ５の周波数としては、特に限定されないが、１０ｋＨｚ〜１００ＭＨｚ程度であるのが好ましく、１００ｋＨｚ〜１０ＭＨｚであるのがより好ましい。
電圧Ｖ５の周波数を上記範囲とすることにより、電圧Ｖ５の各周期において電圧を下降させる時間（例えば時刻Ｔ０〜時刻Ｔ１までの時間）を十分に確保することができるため、電圧Ｖ５の最大値Ｅｍａｘと最小値Ｅｍｉｎの差を大きくすることができる。これにより、より確実に過渡応答時間内電圧を発生させることができる。
【００７４】
また、これに加えて、単位時間あたりに、より多くの過渡応答時間電圧を発生させることができ、単位時間あたりの正帯電粒子Ａおよび負帯電粒子Ｂの泳動距離を長くすることができる。その結果、表示色の切り替え速度の向上を図ることができる。
なお、電圧Ｖ５の最大値Ｅｍａｘとしては、特に限定されないが、１Ｖ程度であることが好ましい。また、電圧Ｖ５の最小値Ｅｍｉｎとしては、特に限定されないが、−１Ｖ程度であることが好ましい。
【００７５】
以上のような電圧Ｖ５が一対の電極８２、８３間に印加されると、図８（ｂ）に示すような電圧Ｖ６がマイクロカプセル３１に加わることとなる。すなわち、上側絶縁層４１の抵抗成分Ｒｂ１および上側絶縁層４１の抵抗成分Ｒｂ１が、それぞれ、前述したように大きいため、電圧Ｖ５の電圧下降時には、その電圧の大半（ほぼ全て）が上側絶縁層４１および下側絶縁層４２に印加され、マイクロカプセル３１にはほとんど印加されず、絶縁層の抵抗成分Ｒｂの大きさに影響を受けない、電圧Ｖ５の急峻な電圧の上昇の際に発生する過渡応答時間内電圧Ｖ６１のみがマイクロカプセル３１に印加されることとなる。
【００７６】
このような電圧Ｖ６がマイクロカプセル３１に印加されると、過渡応答時間内電圧Ｖ６１が発生しているときに、部分電極８３側が正、共通電極８２側が負となるような電界がマイクロカプセル３１に作用し、黒色の負帯電粒子Ｂが部分電極８３側に、白色の正帯電粒子Ａが共通電極８２側に、それぞれ泳動する。これにより、前述したような黒色表示状態となる。
【００７７】
また、このような電圧Ｖ６がマイクロカプセル３１に印加されても、過渡応答時間内電圧Ｖ６１が発生していないときは、一対の電極８２、８３間に電流がほとんど流れないため、電力がほとんど消費されず、最小電圧値Ｅｍｉｎを比較的大きく設定（例えば前述したような−１Ｖ）しても、省電力駆動を行うことができる。すなわち、電圧Ｖ６によれば、表示シート２の表示切り替え速度の向上を図りつつ、省電力化を図ることができる。
【００７８】
以上、過渡応答時間内電圧Ｖ４１、６１により、表示シート２を駆動させることについて説明したが、このような過渡応答時間内電圧Ｖ４１、６１は、それぞれ、マイクロカプセル３１の容量成分Ｃｃと絶縁層の容量成分Ｃｂの比で規定される電圧である。このような容量成分Ｃｃ、Ｃｂの比（Ｃｃ：Ｃｂ）としては、電圧Ｖ３、Ｖ５の電圧値（最大値Ｅｍａｘ、最小値Ｅｍｉｎ）によっても異なるが、例えば、０：１〜１００：１の範囲であることが好ましく、０：１〜５０：１の範囲であることがより好ましい。Ｃｃ：Ｃｂを上記範囲内とすることにより、正帯電粒子Ａおよび負帯電粒子Ｂを泳動させるのに十分な大きさの過渡応答時間内電圧Ｖ４１、６１を発生させることができる。
【００７９】
なお、マイクロカプセル３１のカプセル本体（殻体）３１１の膜厚は、マイクロカプセル３１の外径に比べて十分に薄いため、前述の「マイクロカプセル３１の容量成分Ｃｃ」とは、実質的に、マイクロカプセル３１内部に充填された液相分散媒６の容量成分であると言える。
また、マイクロカプセル３１に電圧をより確実に印加するために、絶縁層の容量成分Ｃｂが、マイクロカプセル３１の容量成分Ｃｃよりも大きいことが好ましい。絶縁層の容量成分（静電容量）Ｃｂとしては、特に限定されないが、２００ｐＦ〜４００ｐＦであるのが好ましく、２５０ｐＦ〜３５０ｐＦであるのがより好ましい。また、マイクロカプセル３１の容量成分（静電容量）Ｃｃとしては、５０〜１５０ｐＦであるのが好ましく、８０ｐＦ〜１３０ｐＦであるのがより好ましい。
【００８０】
また、例えば、マイクロカプセル３１（表示層３）の厚さをｄｃとし、マイクロカプセル３１の誘電率をεｃとしたとき、マイクロカプセル３１の単位面積あたりの容量成分Ｃｃは、（εｃ／ｄｃ）で表わすことができる。なお、前述と同様の理由により、マイクロカプセル３１の誘電率εｃは、実質的に液相分散媒６の誘電率であるとも言える。
同様に、絶縁層の厚さ（上側絶縁層４１の厚さと、下側絶縁層４２の厚さの合計）をｄｂとし、絶縁層の誘電率をεｂとしたとき、絶縁層の単位面積あたりの容量成分Ｃｂは、（εｂ／ｄｂ）で表わすことができる。
【００８１】
すなわち、容量成分Ｃｃ（Ｃｂ）は、誘電率εｃ（εｂ）と厚さｄｃ（ｄｂ）の関数であり、誘電率εｃと誘電率εｂの比（εｃ：εｂ）としては、厚さｄｃ、ｄｂの値によっても異なるが、例えば、厚さｄｃ、ｄｂが等しい場合には、０．０１：１〜１００：１の範囲であることが好ましい。εｃ：εｂを上記範囲内とすることにより、容量成分Ｃｃ、Ｃｂの比を好ましいものとすることができ、正帯電粒子Ａおよび負帯電粒子Ｂを泳動させるのに十分な大きさの過渡応答時間内電圧Ｖ４１、６１を発生させることができる。
【００８２】
以上、本実施形態の電気泳動表示装置１について説明したが、この電気泳動表示装置１によれば、表示シート２において、表示層３の表示面２１側に上側絶縁層４１しか設けられていないため、透明電極を配置している従来の構成と比較して光の減衰が低減され、高い表示コントラストを発揮することができる。
なお、本実施形態では、部分電極８３が表示面２１に接触させることにより、表示シート２に所望の画像を描く形態について説明したが、電気泳動表示装置１によれば、部分電極８３を表示面２１に近づけるだけでも（すなわち非接触でも）、所望の画像を描くことができる。これは、前述したように、表示シート２を過渡応答時間内電圧Ｖ４１、６１により駆動させているためである。
【００８３】
また、本実施形態では、書き込み装置８が書き込みペン８４に設けられた部分電極８３を備えるものについて説明したが、この他に、書き込み装置８が、リセット電極を備えていてもよい。リセット電極は、平板状をなし、表示面２１に配置した時に、表示面２１の全面を包含することができるようになっている。また、リセット電極は、例えば、書き込みペン８４と交換して用いることができるように構成されている。
表示シート２を共通電極８２上に載置し、リセット電極を表示面２１上に配置した状態にて、共通電極８２およびリセット電極間に前述した電圧Ｖ３を印加することにより、簡単に、表示面２１の全面を白色とすることができ、反対に、電圧Ｖ５を印加することにより、簡単に、表示面２１の全面を黒色とすることができる。
【００８４】
≪第２実施形態≫
次に、本発明の表示装置（電気泳動表示装置）の第２実施形態について説明する。
図９は、本発明の表示装置が備える表示シートの第２実施形態を模式的に示す縦断面図である。
以下、第２実施形態にかかる電気泳動表示装置について説明するが、前記第１実施形態との相違点を中心に説明し、同様の事項については、その説明を省略する。
【００８５】
本実施形態にかかる電気泳動表示装置は、共通電極の配置が異なる以外は、前記第１実施形態と同様である。
図９に示すように、本実施形態の電気泳動表示装置１においては、共通電極８２は、書き込み装置８の台座８１ではなく、表示シート２に設けられている。より具体的には、共通電極は、下側絶縁層４２の下面に、表示層３の全域を包含するように設けられている。
以上のような本実施形態にかかる電気泳動表示装置１は、前記第１実施形態と同様の作用・効果を奏する。
【００８６】
≪第３実施形態≫
次に、本発明の表示装置（電気泳動表示装置）の第３実施形態について説明する。
図１０は、本発明の表示装置が備える表示シートの第３実施形態を模式的に示す縦断面図である。
以下、第３実施形態にかかる電気泳動表示装置について説明するが、前記第１実施形態との相違点を中心に説明し、同様の事項については、その説明を省略する。
【００８７】
本実施形態にかかる電気泳動表示装置は、表示シートが備えるマイクロカプセルの形状が異なる以外は、前記第１実施形態と同様である。
図１０に示すように、本実施形態のマイクロカプセル３１は、球状をなして存在している。これにより、マイクロカプセル３１は、耐圧性および耐ブリード性に優れたものとなる。したがって、表示シート２を作動させているとき、もしくは、表示シート２を保存している間に、表示シート２に衝撃が加わったり、表示面が押圧されたりした場合でも、マイクロカプセル３１の破壊や電気泳動分散液の散逸が防止され、長期間安定に動作することができる。
【００８８】
なお、マイクロカプセル３１の平均粒径は、５〜５０μｍ程度であるのが好ましく、１０〜３０μｍ程度であるのがより好ましい。マイクロカプセル３１の平均粒径を前記範囲とすることにより、電気泳動表示装置１において正帯電粒子Ａおよび負帯電粒子Ｂの電気泳動をより確実に制御することができるようになる。
以上のような本実施形態にかかる電気泳動表示装置１は、前記第１実施形態と同様の作用・効果を奏する。
【００８９】
≪第４実施形態≫
次に、本発明の表示装置（電気泳動表示装置）の第４実施形態について説明する。
図１１は、本発明の表示装置が備える表示シートの第４実施形態を模式的に示す縦断面図である。
以下、第４実施形態にかかる電気泳動表示装置について説明するが、前記第１実施形態との相違点を中心に説明し、同様の事項については、その説明を省略する。
【００９０】
本実施形態にかかる電気泳動表示装置は、表示シートが備える表示層の構成が異なる以外は、前記第１実施形態と同様である。
図１１に示すように、本実施形態の電気泳動表示装置１が備える表示シート２において、表示層３は、上側絶縁層４１および下側絶縁層４２の間の空間を区画する隔壁３３を有している。この隔壁３３は、例えば、表示シート２の平面視にて、格子状、ハニカム状をなしている。
【００９１】
すなわち、表示層３は、隔壁３３、上側絶縁層４１および下側絶縁層４２で画成された複数の収容部３４を有しており、この各収容部３４に、正帯電粒子Ａと、負帯電粒子Ｂとを液相分散媒６に分散（懸濁）してなる電気泳動分散液が充填されている。
以上のような本実施形態にかかる電気泳動表示装置１は、前記第１実施形態と同様の作用・効果を奏する。
【００９２】
以上のような表示装置は、各種電子機器に組み込むことができる。前記電子機器としては、例えば、電子ペーパー、ディスプレイ、テレビ、ビューファインダ型、モニタ直視型のビデオテープレコーダ、カーナビゲーション装置、ページャ、電子手帳、電卓、電子新聞、ワードプロセッサ、パーソナルコンピュータ、ワークステーション、テレビ電話、ＰＯＳ端末、タッチパネルを備えた機器等を挙げることができ、これらの各種電子機器の表示部等に、本発明の表示装置を適用することが可能である。
【００９３】
以上、本発明の表示装置、電子機器および表示装置の駆動方法を、図示の実施形態に基づいて説明したが、本発明はこれに限定されるものではなく、各部の構成は、同様の機能を有する任意の構成のものに置換することができる。また、本発明に、他の任意の構成物が付加されていてもよい。
また、前述した第２実施形態では、表示シートと書き込み装置とが別体として構成されているものについて説明したが、これに限定されず、表示シートと書き込み装置とが一体的に（１つの装置として）構成されていてもよい。
【００９４】
また、前述した実施形態では、本発明の表示装置を電気泳動表示装置に適用した場合について説明したが、これに限定されず、例えば液相分散媒を省略し、マイクロカプセルの内部に帯電粒子のみを封入した表示装置に適用してもよい。
また、前述した実施形態では、マイクロカプセル内に正帯電粒子と負帯電粒子とが封入されたものについて説明したが、これに限定されず、正帯電粒子および負帯電粒子のいずれか一方のみが封入されているものであってもよい。
【図面の簡単な説明】
【００９５】
【図１】本発明の表示装置（電気泳動表示装置）の第１実施形態を模式的に示す斜視図である。
【図２】図１に示す表示装置が備える表示シートの断面図である。
【図３】図２に示す表示シートの作動を説明するための図である。
【図４】所望の画像が書き込まれた表示シートを示す図である。
【図５】図２に示す表示シートの表示層を等価回路で表した図である。
【図６】従来の電気泳動表示装置の駆動電圧を示す図である。
【図７】図２に示す表示シートを駆動する駆動電圧を示す図である。
【図８】図２に示す表示シートを駆動する駆動電圧を示す図である。
【図９】本発明の表示装置が備える表示シートの第２実施形態を模式的に示す縦断面図である。
【図１０】本発明の表示装置が備える表示シートの第３実施形態を模式的に示す縦断面図である。
【図１１】本発明の表示装置が備える表示シートの第４実施形態を模式的に示す縦断面図である。
【符号の説明】
【００９６】
１……電気泳動表示装置（表示装置）  ２……表示シート  ２１……表示面  ３……表示層  ３１……マイクロカプセル  ３１１……カプセル本体（殻体）  ３２……バインダ  ３３……隔壁  ３４……収容部  ４１……上側絶縁層  ４２……下側絶縁層  ６……液相分散媒  ７……封止部  ８……書き込み装置  ８１……台座  ８２……共通電極  ８３……部分電極  ８４……書き込みペン  ８４１……ボタン  ８５……電圧印加手段  Ａ……正帯電粒子  Ｂ……負帯電粒子
【図１】
2010097054.tif 000003
【図２】
2010097054.tif 000004
【図３】
2010097054.tif 000005
【図４】
2010097054.tif 000006
【図５】
2010097054.tif 000007
【図６】
2010097054.tif 000008
【図７】
2010097054.tif 000009
【図８】
2010097054.tif 000010
【図９】
2010097054.tif 000011
【図１０】
2010097054.tif 000012
【図１１】
2010097054.tif 000013